【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
少なくとも第一の電力状態と前記第一の電力状態より消費電力の少ない第二の電力状態を有する画像形成装置であって、
画像を形成する画像形成手段と、
前記画像形成装置の電力状態を前記第一の電力状態から前記第二の電力状態へ移行するためのユーザ操作を受け付ける受付手段と、
前記画像形成装置の前の人を検知する第１検知手段と、
前記画像形成装置から人が離れたことを検知する第２検知手段と、
前記第１検知手段による人の検知に基づいて前記画像形成装置の電力状態を前記第二の電力状態から前記第一の電力状態に移行し、前記受付手段によって受け付けられた前記ユーザ操作に基づいて前記画像形成装置の電力状態を前記第一の電力状態から前記第二の電力状態に移行する移行手段と、を備え、
前記移行手段は、前記ユーザ操作に基づいて前記第二の電力状態に移行してから、前記第１検知手段による人の検知に基づく前記画像形成装置の電力状態の前記第二の電力状態から前記第一の電力状態への移行を禁止し、前記第２検知手段によって前記画像形成装置から人が離れたことが検知されると、前記第１検知手段による人の検知に基づく前記画像形成装置の電力状態の前記第二の電力状態から前記第一の電力状態への移行の禁止を解除する、ことを特徴とする画像形成装置。
【請求項２】
前記第２検知手段は、前記第１検知手段より前記画像形成装置の前の検知範囲が広く、前記画像形成装置の前の人を検知することが可能であって、
前記移行手段は、前記第２検知手段による人の検知に基づいて、電力供給が停止されている前記第１検知手段に電力が供給されるよう制御する、ことを特徴とする請求項１に記載の画像形成装置。
【請求項３】
前記第二の電力状態は、第１の省電力状態及び前記第１の省電力状態より省電力の第２の省電力状態を含み、
前記移行手段は、前記受付手段が前記ユーザ操作を受け付けたときに前記第２検知手段によって人が検知されているならば前記第一の電力状態から前記第１の省電力状態に移行し、前記受付手段が前記ユーザ操作を受け付けたときに前記第２検知手段によって人が検知されていないならば前記第一の電力状態から前記第２の省電力状態に移行する、ことを特徴とする請求項２に記載の画像形成装置。
【請求項４】
前記第２検知手段は、焦電センサである、ことを特徴とする請求項１乃至３の何れか１項に記載の画像形成装置。
【請求項５】
前記第１検知手段は、反射センサである、ことを特徴とする請求項１乃至４の何れか１項に記載の画像形成装置。
【請求項６】
前記第１検知手段による人の検知に基づく前記画像形成装置の電力状態の前記第二の電力状態から前記第一の電力状態への移行の禁止を示す情報が記憶される記憶手段をさらに備え、
前記移行手段は、前記記憶手段に前記情報が記憶されている間は、前記検知手段による人の検知に基づく前記画像形成装置の電力状態の前記第二の電力状態から前記第一の電力状態への移行を行わない、ことを特徴とする請求項１乃至５の何れか1項に記載の画像形成装置。
【請求項７】
前記移行手段は、前記第１検知手段による人の検知を示す信号と前記記憶手段に記憶されている情報を示す信号とが入力され、前記画像形成装置を前記第二の電力状態から前記第一の電力状態へ移行させる移行依頼信号を出力するＡＮＤゲート論理素子を含む、ことを特徴とする請求項６に記載の画像形成装置。
【請求項８】
少なくとも第一の電力状態と前記第一の電力状態より消費電力の少ない第二の電力状態を有する画像形成装置の制御方法であって、
画像を形成する画像形成ステップと、
前記画像形成装置の電力状態を前記第一の電力状態から前記第二の電力状態へ移行するためのユーザ操作を受け付ける受付ステップと、
前記画像形成装置の前の人を検知する第１検知ステップと、
前記画像形成装置から人が離れたことを検知する第２検知ステップと、
前記第１検知ステップにおける人の検知に基づいて前記画像形成装置の電力状態を前記第二の電力状態から前記第一の電力状態に移行し、前記受付ステップにおいて受け付けられた前記ユーザ操作に基づいて前記画像形成装置の電力状態を前記第一の電力状態から前記第二の電力状態に移行する移行ステップと、を備え、
前記移行ステップは、前記ユーザ操作に基づいて前記第二の電力状態に移行してから、前記第１検知ステップによる人の検知に基づく前記画像形成装置の電力状態の前記第二の電力状態から前記第一の電力状態への移行を禁止し、前記第２検知ステップによって前記画像形成装置から人が離れたことが検知されると、前記第１検知ステップによる人の検知に基づく前記画像形成装置の電力状態の前記第二の電力状態から前記第一の電力状態への移行の禁止を解除する、ことを特徴とする画像形成装置の制御方法。
【請求項９】
前記第２検知ステップは、前記第１検知ステップより前記画像形成装置の前の検知範囲が広く、前記画像形成装置の前の人を検知することが可能であって、
前記移行ステップは、前記第２検知ステップにおける人の検知に基づいて、電力供給が停止されている前記第１検知ステップに電力が供給されるよう制御する、ことを特徴とする請求項８に記載の画像形成装置の制御方法。
【請求項１０】
前記第二の電力状態は、第１の省電力状態及び前記第１の省電力状態より省電力の第２の省電力状態を含み、
前記移行ステップは、前記受付ステップが前記ユーザ操作を受け付けたときに前記第２検知ステップにおいて人が検知されているならば前記第一の電力状態から前記第１の省電力状態に移行し、前記受付ステップが前記ユーザ操作を受け付けたときに前記第２検知ステップによって人が検知されていないならば前記第一の電力状態から前記第２の省電力状態に移行する、ことを特徴とする請求項９に記載の画像形成装置の制御方法。
【請求項１１】
前記第２検知ステップは、焦電センサによる、ことを特徴とする請求項８乃至１０何れか１項に記載の画像形成装置の制御方法。
【請求項１２】
前記第１検知ステップは、反射センサによる、ことを特徴とする請求項８乃至１１の何れか１項に記載の画像形成装置の制御方法。
【請求項１３】
前記第１検知ステップおける人の検知に基づく前記画像形成装置の電力状態の前記第二の電力状態から前記第一の電力状態への移行の禁止を示す情報が記憶される記憶手段をさらに備え、
前記移行ステップは、前記記憶手段に前記情報が記憶されている間は、前記第１検知ステップによる人の検知に基づく前記画像形成装置の電力状態の前記第二の電力状態から前記第一の電力状態への移行を行わない、ことを特徴とする請求項８乃至１２の何れか1項に記載の画像形成装置の制御方法。
【請求項１４】
前記移行ステップは、前記第１検知ステップにおける人の検知を示す信号と前記記憶手段に記憶されている情報を示す信号とが入力され、前記画像形成装置を前記第二の電力状態から前記第一の電力状態へ移行させる移行依頼信号を出力するＡＮＤゲート論理素子を含む、ことを特徴とする請求項１３に記載の画像形成装置の制御方法。
【手続補正２】
【補正対象書類名】明細書
【補正対象項目名】０００８
【補正方法】変更
【補正の内容】
【０００８】
本発明は、少なくとも第一の電力状態と前記第一の電力状態より消費電力の少ない第二の電力状態を有する画像形成装置であって、画像を形成する画像形成手段と、前記画像形成装置の電力状態を前記第一の電力状態から前記第二の電力状態へ移行するためのユーザ操作を受け付ける受付手段と、前記画像形成装置の前の人を検知する第１検知手段と、前記画像形成装置から人が離れたことを検知する第２検知手段と、前記第１検知手段による人の検知に基づいて前記画像形成装置の電力状態を前記第二の電力状態から前記第一の電力状態に移行し、前記受付手段によって受け付けられた前記ユーザ操作に基づいて前記画像形成装置の電力状態を前記第一の電力状態から前記第二の電力状態に移行する移行手段と、を備え、前記移行手段は、前記ユーザ操作に基づいて前記第二の電力状態に移行してから、前記第１検知手段による人の検知に基づく前記画像形成装置の電力状態の前記第二の電力状態から前記第一の電力状態への移行を禁止し、前記第２検知手段によって前記画像形成装置から人が離れたことが検知されると、前記第１検知手段による人の検知に基づく前記画像形成装置の電力状態の前記第二の電力状態から前記第一の電力状態への移行の禁止を解除する、ことを特徴とする。
【手続補正３】
【補正対象書類名】明細書
【補正対象項目名】発明の名称
【補正方法】変更
【補正の内容】
【発明の名称】画像形成装置及び画像形成装置の制御方法